(57)【要約】【課題】  小型の表示手段、簡単な指示操作手段しか持たない装置であっても容易にトリミング範囲を指定できるトリミング範囲指定方法を提供すること。【解決手段】  表示手段に原画像を表示し、表示した原画像から所望する範囲の画像を切り出すための画像のトリミング範囲指定方法において、前記表示手段に表示した原画像に、格子像を重ねて表示して、前記格子像のセルを選択することにより前記原画像から切り出す画像の範囲を指定することを特徴とするトリミング範囲指定方法。【選択図】        図４
2006254150.tif 000002
【特許請求の範囲】
【請求項１】
表示手段に原画像を表示し、表示した原画像から所望する範囲の画像を切り出すための画像のトリミング範囲指定方法において、
前記表示手段に表示した原画像に、格子像を重ねて表示して、
前記格子像のセルを選択することにより前記原画像から切り出す画像の範囲を指定することを特徴とするトリミング範囲指定方法。
【請求項２】
前記格子像の格子サイズを可変にしたことを特徴とする請求項１に記載のトリミング範囲指定方法。
【請求項３】
前記格子像の格子の縦横比を可変にしたことを特徴とする請求項１、又は２に記載のトリミング範囲指定方法。
【請求項４】
前記格子像の２つのセルを選択することにより、トリミング範囲を指定することを特徴とする請求項１乃至３のいずれか１項に記載のトリミング範囲指定方法。
【請求項５】
画像を切り出すマスクと、前記格子像の一つのセルを指定することにより、前記画像のトリミング範囲を指定することを特徴とする請求項１乃至３のいずれか１項に記載のトリミング範囲指定方法。
【請求項６】
トリミングされた範囲の画像と、切り出された範囲の画像とを画像濃度、又は色調を変えて表示手段に表示することを特徴とする請求項１乃至５のいずれか１項に記載のトリミング範囲指定方法。
【発明の詳細な説明】
【技術分野】
【０００１】
本発明は、原画像から所望の範囲の画像を切り出すトリミング範囲指定方法に係わる。
【背景技術】
【０００２】
ＣＲＴ、液晶等の表示手段に画像（原画像）と、移動可能な目印を一緒に表示して、この目印をマウス等の指示操作手段で所望のトリミング位置に沿って移動させることによって、原画像から所望する範囲の画像を切り出すトリミング範囲指定方法は、広く一般に知られている方法である。
【０００３】
また、予め切り出す画像の形状を規定するマスク画像を選択して、このマスク画像を表示手段に表示されている原画像に重ねて表示して、マスク画像を変倍、回転、移動等させて所望の範囲の画像を切り出す方法も、公知の方法となっている（例えば、特許文献１参照）。
【０００４】
しかしながら、携帯電話、ゲーム機、プリンタ、複合機のように、小型の表示手段と、押しボタン、あるいは十字キーのような指示操作手段しか持たない装置では、上述したようにトリミング位置を指定する目印を表示手段に表示されている原画像の所望する位置に迅速に、且つ正確に移動させることは困難である。
【０００５】
近年、このような小型の表示手段と、押しボタンや十字キーのような指示操作手段しか持たない装置でも、原画像に所定のトリミングを施し、必要な画像のみを保存したり、送信したいという要望が高まっている。
【特許文献１】特開２０００−２１６９７５号公報（第１−２頁）
【発明の開示】
【発明が解決しようとする課題】
【０００６】
本発明は、上述したような状況に鑑みてなされたもので、その目的は、小型の表示手段、簡単な指示操作手段しか持たない装置であっても容易にトリミング範囲を指定できるトリミング範囲指定方法を提供することにある。
【課題を解決するための手段】
【０００７】
上記課題は、以下の請求項を実現することにより解決される。
（請求項１）
表示手段に原画像を表示し、表示した原画像から所望する範囲の画像を切り出すための画像のトリミング範囲指定方法において、
前記表示手段に表示した原画像に、格子像を重ねて表示して、
前記格子像のセルを選択することにより前記原画像から切り出す画像の範囲を指定することを特徴とするトリミング範囲指定方法。
（請求項２）
前記格子像の格子サイズを可変にしたことを特徴とする請求項１に記載のトリミング範囲指定方法。
（請求項３）
前記格子像の格子の縦横比を可変にしたことを特徴とする請求項１、又は２に記載のトリミング範囲指定方法。
（請求項４）
前記格子像の２つのセルを選択することにより、トリミング範囲を指定することを特徴とする請求項１乃至３のいずれか１項に記載のトリミング範囲指定方法。
（請求項５）
画像を切り出すマスクと、前記格子像の一つのセルを指定することにより、前記画像のトリミング範囲を指定することを特徴とする請求項１乃至３のいずれか１項に記載のトリミング範囲指定方法。
（請求項６）
トリミングされた範囲の画像と、切り出された範囲の画像とを画像濃度、又は色調を変えて表示手段に表示することを特徴とする請求項１乃至５のいずれか１項に記載のトリミング範囲指定方法。
【発明の効果】
【０００８】
請求項１に記載のトリミング範囲指定方法によれば、ユーザはセルを選択することによりトリミング範囲を指示することができるので小型の表示手段と、押しボタンや十字キーのような簡単な指示操作手段しか持たない装置でも容易にトリミング範囲を指定できる。
【０００９】
請求項２に記載の発明によれば、ユーザは、トリミング範囲の指定の細かさと、指定作業の容易性との妥協点を求めることができる。
【００１０】
請求項３に記載の発明によれば、切り出す画像の形状に近似したセルを有する格子像を設定できるので、トリミング範囲の指定がより容易となる。
【００１１】
請求項４に記載の発明によれば、２つのセルを指定することでトリミング範囲を指定できるので、迅速にトリミングを行うことができる。
【００１２】
請求項５に記載の発明によれば、切り出す画像のサイズと一つのセルを指定することにより、トリミング範囲を指示することができるので迅速にトリミングを行うことができる。
【００１３】
請求項６に記載の発明によれば、ユーザは、トリミングされた範囲を原画像の上で容易に確認することができる。
【発明を実施するための最良の形態】
【００１４】
以下、図を基に、本発明の実施の形態を説明する。
【００１５】
図１は、本発明による画像形成装置Ｇの概念図である。
【００１６】
画像形成装置Ｇは、自動原稿送り手段１、画像読み取り手段２、画像書き込み手段３、操作表示手段４、制御手段Ｃ等から構成され、複写機、プリンタの機能を持つ画像形成装置で、一般に、複合機と呼ばれている。
【００１７】
自動原稿送り手段１は、原稿載置台１０の上に載置された原稿Ｄを原稿搬送路１１に送り出し、原稿排紙台１２に排紙する。搬送中の原稿Ｄの画像面は、スリットガラス２２を通過する際に、画像読み取り手段２によって走査されて画像が読み取られる。
【００１８】
画像読み取り手段２は、原稿台ガラス２０、光源ランプ２１、スリットガラス２２、第１ミラーユニット２３、第２ミラーユニット２４、結像レンズ２５、ＣＣＤ２６等からなる。
【００１９】
画像読み取り位置であるスリットガラス２２の上を走行する原稿Ｄの画像は、光源ランプ２１により照射され、その反射光は第１ミラーユニット２３、第２ミラーユニット２４、結像レンズ２５に導かれてＣＣＤ２６に結像され、光学的情報が電気的情報に変換される。変換された前記情報は、Ａ／Ｄ変換、シェーディング補正、必要に応じた圧縮処理等が施され、制御手段ＣのメモリＭに原稿画像情報として保存される。
【００２０】
画像読み取り手段２の原稿台ガラス２０に原稿Ｄが載置された場合には、図の右方に移動する第１ミラーユニット２３、第２ミラーユニット２４によって原稿画像を走査して、原稿画像情報を得る。
【００２１】
画像書き込み手段３は、サーマルヘッドＨ、インクリボンＲ、元巻きローラ３１、巻き取りローラ３２、プラテンローラ４０、リボンガイドローラ３３、３４、３５、３６、記録シート搬送ローラ４１、４２、４３、４４、４５、４６、記録シート載置台５１、記録シート排紙台５２等から構成される公知の熱昇華型のプリンタである。
【００２２】
熱昇華型のインクが塗布されたインクリボンＲは、元巻き状態で元巻きローラに装填され、リボンガイドローラ３３、３４、３５、３６に導かれて、巻き取りローラ３２に巻き取られる。
【００２３】
記録シート載置台５１に載置された記録シートＰは、１枚ずつ送り出され、サーマルヘッドＨ、インクリボンＲ，プラテンローラ４０から成る画像転写部にて、画像が転写されて、記録シート排紙台５２に排出される。
【００２４】
サーマルヘッドＨは、複数の発熱体がライン状に並べられており、そのラインの長さは記録紙の幅に大凡等しい。このサーマルヘッドＨは、記録シートＰが所定の位置に搬送されてきた時に下降して、インクリボンＲ、及び記録シートＰをプラテンローラ４０に押圧する。この状態でサーマルヘッドＨの複数の発熱体には、制御手段Ｃから送られた画像情報に基づく電気的エネルギーが印加され、発熱量に応じた量のインクがインクリボンＲから記録紙Ｐに昇華転写する。転写時には記録シートＰとインクリボンＲとは一体となって所定の送りピッチと速度で進行する。即ち、記録シートＰには、サーマルヘッドＨの発熱体の１ライン分の画像が、順次、前記送りピッチの間隔を持って並べられ、１頁分の画像が形成される。記録シートＰへの画像の出力が終わると、サーマルヘッドＨは再び上昇する。押圧が解かれ、インクリボンＲから分離した記録紙Ｐは、所定の排紙速度に増速された記録紙搬送ローラ４４、４５、４６により記録シート排紙台５２に排出される。
【００２５】
カラーの画像形成を行う場合には、ＹＭＣＫ（イエロー、マゼンタ、シアン、ブラック）の各色のインクが、ほぼ記録シートの長さをもって順番に塗布されたインクリボンを使用して、サーマルヘッドＨの昇華転写位置を往復移動する記録シートＰに各色の画像を順次転写して、所定のカラー画像を得る。
【００２６】
図２は、画像形成装置Ｇの制御関係を示すブロック図である。
【００２７】
制御手段Ｃは、ＣＰＵを中心としたコンピュータシステムで、メモリＭ、入出力インターフェイス、駆動回路、通信用インターフェイス等から構成される。画像形成装置Ｇの各手段の制御は、メモリＭに格納されている所定のプログラムを実行させることによりなされる。
【００２８】
通信手段５を介して他の情報処理機器から送られた画像情報、又は画像読み取り手段２により読み取られた原稿の画像情報、メモリカードスロット４５０に挿入された各種のメモリカードから読み込まれた画像情報、及びＤＶＤ／ＣＤドライブ４６０から読み込まれた画像情報は制御手段ＣのメモリＭに設けられた画像ファイルに格納される。
【００２９】
格納された前記画像情報は、必要に応じ呼び出され、表示手段４１と指示操作手段４２によりトリミング処理をはじめとする画像処理を施すことができる。出力準備の整った画像情報は画像書き込み手段３に送られ、画像書き込み手段３は、サーマルヘッドＨの複数の発熱体に、送られた画像情報に対応した電気的エネルギーを所定のタイミングで印加する。
【００３０】
なお、本図では、本実施の形態の説明に直接関係しないブロックの記載は省略されている。
【００３１】
図３は、操作表示手段４の概念図である。
【００３２】
操作表示手段４は、表示手段４１、指示操作手段４２からなり、側面には、メモリカードスロット４５０、ＤＶＤ／ＣＤドライブ４６０が設けられている。
【００３３】
表示手段４１は、液晶ディスプレイで、支点４３を中心にして矢印ａの方向に回転可能であり、画像形成装置Ｇを使用しない時には閉じておくことができる。
【００３４】
指示操作手段４２には、テンキー４００、操作ボタン４０１、４０２、４０３、４０４、十字キー４０５が設けられている。
【００３５】
複数のメモリカードスロット４５０は、制御手段Ｃと各種のＩＣメモリカードとの間で情報交換を行うための装置であり、ＤＶＤ／ＣＤドライブは、ＤＶＤ／ＣＤと制御手段Ｃとの間に情報交換を行うための装置であり、いずれも一般的に使用されている公知のものである。
【００３６】
図４は、表示手段４１に表示された原画像と格子像の表示例である。
【００３７】
図で示すように、原画像は縦横の線からなる格子像により複数の升目（セル）に分割されているように表示されている。指定されたセルであることを示す目印は、セルの枠を太枠にする、あるいはセル内の濃度、色調を変える、特定のマークを付与する等、公知の手段を用いることができる。
【００３８】
図５は、トリミング範囲の指定を行う作業の流れを示すフローチャートである。
【００３９】
先ず、メモリＭの所定の画像ファイルに格納されていた原画像を、指示操作手段４２を操作することによって読み出し（ステップＳ１）、次いで、トリミングを行う操作ボタンを押すことにより格子像を読み出し（ステップＳ２）、表示手段４１に前記の図４の様な画像を表示する。
【００４０】
表示された格子のサイズ、あるいは格子の縦横比が、不適当と思われた場合には（ステップＳ３：Ｎ）、指示操作手段４２を操作することにより、プログラムとして格納されている格子サイズ設定ルーチン、あるいは格子縦横比設定ルーチンを呼び出し実行させることにより、設定の変更を行う（ステップＳ３、４、５、６）。図６は、格子のサイズの変更例を示す図であり、図７は格子の縦横比の変更例である。
【００４１】
図４において、当初は、画面の左上のセルに目印（＊）４１１が置かれている。ユーザは、先ず、十字キー４０５を操作して目印４１１を、切り出す画像の左上の端部のセル４１２に移動させる。所定の位置への移動が終了し、十字キー４０５の中心部にある決定ボタン４０６を押すと、該セル（第１のセル）は、所定のグレイの濃度、あるいは所定の色に変わる（ステップＳ７）。
【００４２】
再度、十字キー４０５を用いて、目印４１１をセルに沿ってを移動させ、切り出す画像の右下の端部４１３に移動させる。所定の位置への移動が終了し、十字キーの中心部にある決定ボタン４０６を押すと、選択されたセル（第２のセル）が所定のグレイに変わり（ステップＳ８）、次いで、自動的に前記第１のセル、及び第２のセルから作られる長方形の範囲の原画像が、最初の濃度で表示され、その周辺の画像はグレイの濃度が載せられた状態で表示される（ステップＳ９）。図８は、トリミング範囲が指定された原画像を示す図である。
【００４３】
即ち、グレイの濃度が載せられた部分は８０１、トリミングされる範囲を示し、グレイの濃度が載せられていない画像部分８０２が切り出される画像となる。
【００４４】
図５に戻って、もし、トリミング範囲が満足すべきものであった場合には（ステップＳ１０：Ｙ）、操作ボタンの一つである格納ボタンを押すと、切り出された画像は、メモリＭの所定のファイルに格納される（ステップＳ１１）。
もし、トリミングの範囲を変更する場合には（ステップＳ１０：Ｎ）、再度、操作ボタンの一つであるトリミングボタンを押すことにより、ステップＳ２に戻り同様の操作を繰り返す。
【００４５】
図９は、上述したように切り出す画像の二つのセルを選択する代わりに、予め、画像を切り出すマスク９０１ａを設定して、そのマスクの所定の点を置くセル９０２を指定することにより、トリミング範囲９０１ｂを指定する方法を説明する図である。
【００４６】
マスクの大きさ、形状、所定の点は、セルを選択する前に、予め準備された必要とするプログラムを実行させて設定する。なお、設定した結果は、必要に応じ、メモリＭの所定のファイルに記憶させておくこともできる。この方法は、予め画像のサイズを決めて、原画像から画像の切り出しを行う場合に有効なものである。
【００４７】
図１０は、図４を基に説明したトリミング範囲の指定方法に類似する他のトリミング範囲の指定方法を説明する図である。なお、本図では、図を見やすくするために原画像が省略されている。
【００４８】
本例においては、目印４１１を、十字キー４０５により移動して、切り出す画像の左上の端部の第１のセルを選択したときに、図に示すように、切り出される画像の上部と左側にある外側のセル（図１０（ａ）中、Ｔ１）、即ちトリミングされる範囲の上部と左側がグレイに変わるようにする。同様に第２のセルが指定されたときには、下部と右側のトリミングされる範囲がグレイに変わり（図１０（ｂ）、Ｔ２）、切り出された画像と、指定されたトリミング範囲とが表示手段４１上にわかりやすく表示される。
【００４９】
以上説明したように、原画像に格子像を重ねて表示して、所望の位置のセルを選択することにより原画像のトリミングを行う、容易なトリミング範囲指定方法が提供される。
【００５０】
なお、トリミング範囲が指定された原画像から、所定の範囲の画像を切り出す、あるいは所定の範囲をトリミングする画像処理技術は、公知のソフトウエア技術であり、適宜に必要とするソフトウエアを選択することができる。
【図面の簡単な説明】
【００５１】
【図１】画像形成装置の概念図である。
【図２】画像形成装置の制御関係を示すブロック図である。
【図３】操作手段の概念図である。
【図４】原画像と格子像の表示例である。
【図５】トリミング範囲の指定を行う作業の流れを示すフローチャートである。
【図６】格子のサイズの変更例を示す図である。
【図７】格子の縦横比の変更例を示す図である。
【図８】トリミング範囲が指定された原画像を示す図である。
【図９】マスクの所定の点を置くセルを指定してトリミング範囲を指定する方法を説明する図である。
【図１０】他のトリミング範囲指定方法を説明する図である。
【符号の説明】
【００５２】
１  自動原稿送り手段
２  画像読み取り手段
３  画像書き込み手段
４  操作表示手段
４１  表示手段
４２  指示操作手段
４０５  十字キー
Ｇ  画像形成装置
【図１】
2006254150.tif 000003
【図２】
2006254150.tif 000004
【図３】
2006254150.tif 000005
【図４】
2006254150.tif 000006
【図５】
2006254150.tif 000007
【図６】
2006254150.tif 000008
【図７】
2006254150.tif 000009
【図８】
2006254150.tif 000010
【図９】
2006254150.tif 000011
【図１０】
2006254150.tif 000012